(57)【要約】【課題】収容部の開口部に被せる蓋部材を小型化する。【解決手段】ＨＤＤユニット２００の収容部１００への取り付け及び取り外し作業において、ブラケット２５０の他端側張出片部２７０が挿入孔１０６に挿入される。よって、ブラケット２５０の他端側張出片部２７０が挿入孔１０６に挿入される挿入分、開口部１０２の他端部１０２Ａを一方側に移動できる。つまり、収容部１００の他方側の端部に挿入孔１０６が設けられていない構成と比較し、収納部１００の開口部１０２の開口面積を小さくすることができ、その結果、開口部１０２に被せる蓋部材を小型化することができる。また、蓋部材を小型化することで部品のレイアウトの設計自由度が向上する。【選択図】図１２
2013077363.tif 000002
【特許請求の範囲】
【請求項１】
機器本体に設けられ、電子ユニットが収容されると共に前記電子ユニットが移動可能な移動代が設けられた収容部と、
前記収容部の開口部に被せられる蓋部材と、
前記電子ユニットにおける移動方向の一方側の端部に設けられたユニット側コネクタと、
前記収容部における前記移動方向の一方側の端部に設けられ、前記収容部内で前記電子ユニットを移動させることで、前記ユニット側コネクタが脱着する機器側コネクタと、
前記電子ユニットに設けられ、前記電子ユニットから前記移動方向の他方側に張り出す他端側張出部を有する固定部材と、
前記収容部における前記移動方向の他方側の端部に設けられ、前記固定部材の前記他端側張出部が固定される固定部と、
前記収容部における前記移動方向の他方側の端部に設けられ、前記固定部材の前記他端側張出部が挿入可能な挿入口と、
を備える電子ユニットの取付構造。
【請求項２】
前記機器本体における前記収容部よりも前記移動方向の他方側に、前記挿入口に挿入した前記他端側張出部が当たる緩衝部材が設けられている、
請求項１に記載の電子ユニットの取付構造。
【請求項３】
前記移動方向における前記他端側張出部と前記緩衝部材との間の距離は、前記移動代よりも小さく設定されている、
請求項２に記載の電子ユニットの取付構造。
【請求項４】
移動方向の一方側の端部にユニット側コネクタを有する電子ユニットと、
前記電子ユニットに設けられ、前記電子ユニットから前記移動方向の他方側に張り出す他端側張出部を有する固定部材と、
開口部を有すると共に前記電子ユニットが移動可能な移動代が設けられた収容部を有する筐体と、
前記収容部における前記移動方向の一方側の端部に設けられ、前記収容部内で前記電子ユニットを移動させることで、前記ユニット側コネクタが脱着する機器側コネクタと、
前記機器側コネクタが搭載され、前記筐体に収容される回路基板と、
前記収容部の開口部に着脱可能な蓋部材と、を備え、
前記収容部は、
前記移動方向の他方側の端部に設けられ、前記固定部材の前記他端側張出部が固定される固定部と、
前記移動方向の他方側の端部に設けられ、前記固定部材の前記他端側張出部が挿入可能な挿入口と、
を備える電子機器。
【請求項５】
前記収容部よりも前記移動方向の他方側に設けられ、前記挿入口に挿入した前記他端側張出部が当たる緩衝部材を備える、
請求項４に記載の電子機器。
【請求項６】
前記他端側張出部と前記緩衝部材との間の距離は、前記移動代よりも小さく設定されている、
請求項５に記載の電子機器。
【発明の詳細な説明】
【技術分野】
【０００１】
本願の開示する技術は、電子ユニットの取付構造および電子機器に関する。
【背景技術】
【０００２】
ボトムに形成されたボスと板バネとの間の収納空間にＨＤＤを係合爪形成側から斜めに挿入し、ボスのダンパと係合爪とを係合させた後、ＨＤＤを収納空間に押し込むことによって板バネに付勢力を発生させ、ＨＤＤを支持する構成が知られている。
【０００３】
また、携帯型電子機器に着脱可能な部品を電子機器本体裏面に着脱可能とすると共に、その取り外し操作を装着部底面に対して垂直な操作と水平な操作との２つの操作の組み合わせによる２アクションで行う携帯型電子機器の部品着脱構造が知られている。
【先行技術文献】
【特許文献】
【０００４】
【特許文献１】特開２０００−７５９５８号公報
【特許文献２】特開平８−１６２７８号公報
【発明の概要】
【発明が解決しようとする課題】
【０００５】
ところで、ハードディスク装置（ＨＤＤ）等の電子ユニットを電子機器本体とコネクタで接続する構成では、電子ユニットを収容部内で移動させてコネクタを接続する。そして、電子ユニットに設けられた固定部材を介して、機器本体の収容部に設けられた固定部に固定する構成の場合、以下の課題が考えられる。
【０００６】
すなわち、固定部材は電子ユニットと一体となって収容部に収容されると共に、収容部内を移動する。したがって、収容部の開口部の開口面積が大きくなり、その結果、開口部に被せる蓋部材が大型化する虞がある。
【０００７】
本願の開示する技術は、上記課題に鑑みて成されたものであり、収容部の開口部に被せる蓋部材を小型化することができる電子ユニットの取付構造を提供することを目的とする。
【課題を解決するための手段】
【０００８】
上記目的を達成するために、本願の開示する電子ユニットの取付構造は、機器本体に電子ユニットが収容される収容部が設けられている。収容部には電子ユニットが移動可能な移動代が設けられている。また、収容部の開口部には蓋部材が被せられる。電子ユニットにおける移動方向の一方側の端部にはユニット側コネクタが設けられている。また、収容部における移動方向の一方側の端部には、収容部内で電子ユニットを移動させることで、ユニット側コネクタが脱着する機器側コネクタが設けられている。電子ユニットには電子ユニットから移動方向の他方側に張り出す他端側張出部を有する固定部材が設けられている。また、収容部における移動方向の他方側の端部には、固定部材の他端側張出部が固定される固定部が設けられている。そして、収容部の移動方向の他方側の端部には、固定部材の他端側張出部が挿入可能な挿入口が設けられている。
【発明の効果】
【０００９】
本願の開示する電子ユニットの取付構造によれば、収容部における移動方向の他方側の端部に挿入孔が設けられていない構成と比較し、開口部の開口面積を小さくすることができ、その結果、開口部に被せる蓋部材を小型化することができる。
【図面の簡単な説明】
【００１０】
【図１】表示ユニットが本体ユニットに対し開いた状態にある一実施形態に係るノートＰＣの正面及び右側壁を表す斜視図である。
【図２】表示ユニットが本体ユニットに対し開いた状態にあるノートＰＣの背面及び右側壁を表す斜視図である。
【図３】表示ユニットが本体ユニットに対し開いた状態にあるノートＰＣの下壁図である。
【図４】図３に示す下壁図において、ＨＤＤユニットが収容される収容部の開口部に被せられていた蓋部材を取り外した状態の図である。
【図５】ブラケットが固定されたＨＤＤユニットを示す（Ａ）は側面図であり、（Ｂ）は底面図である。
【図６】ＨＤＤユニットを収容する収容部を示す斜視図である。
【図７】（Ａ）は図６に示す収容部にＨＤＤユニットに固定されたブラケットの他端側張出片部が挿入孔に斜めに挿入された状態を示す斜視図であり、（Ｂ）は（Ａ）のＢ−Ｂ断面の断面斜視図である。
【図８】図６に示す収容部の装着部の他方側に寄ってＨＤＤユニットが配置され雄型コネクタと雌型コネクタとが接続されていない状態を示す斜視図である。
【図９】図６に示す収容部の装着部にＨＤＤユニットが装着され雄型コネクタと雌型コネクタとが接続された状態を示す斜視図である。
【図１０】ＨＤＤユニットに固定されたブラケットの他端側張出片部が挿入孔に斜めに挿入された状態を模式的に示す図７（Ａ）に対応する幅方向に沿った縦断面図である。
【図１１】収容部の装着部に他方側に寄ってＨＤＤユニットが配置され雄型コネクタと雌型コネクタとが接続されていない状態を模式的に示す図８に対応する幅方向に沿った縦断面図である。
【図１２】図６に示す収容部の装着部にＨＤＤユニットが装着され雄型コネクタと雌型コネクタとが接続された状態を示す図９に対応する幅方向に沿った縦斜視図である。
【図１３】ユニットを収容する比較例のＨＤＤ収容部を示す図６に対応する斜視図である。
【発明を実施するための形態】
【００１１】
以下に、本願の開示する電子機器の一実施形態を図面に基づいて詳細に説明する。なお、図中、同一又は対応する機能を有する部材（構成要素）には同じ符号を付して適宜説明を省略する。
【００１２】
本願の開示する一実施形態に係る電子機器は、所謂ノートＰＣであり、本体ユニットと表示ユニットとが開閉自在に連結された構造を有している。本体ユニットは、キーボード等が搭載され種々の情報処理を実行するものである。表示ユニットは、画像等の表示を実行するものである。
【００１３】
まず、ノートＰＣの全体構成について説明する。
図１に示すように、電子機器の一例としてのノートＰＣ１０は、上記のように表示ユニット１２と、機器本体の一例としての上面視が矩形状の本体ユニット１４と、を有している。また、ノートＰＣ１０は、当該本体ユニット１４の奥行方向Ｄ１の端部に、幅方向Ｄ２に沿って配置された回動軸１６を有している。これら表示ユニット１２と本体ユニット１４とは、表示ユニット１２が本体ユニット１４に対し、回動軸１６を中心に矢印Ｄ３方向に回動（開閉）自在となるように連結されている。
【００１４】
表示ユニット１２は、本体ユニット１４で実行された情報処理結果を表示するためのものである。表示ユニット１２の開状態の前壁には、本体ユニット１４の指示に応じた画像を表示する表示パネルである表示画面１８が広がっている。表示画面１８の周囲は、表示ユニット１２の筐体２０を形成する前壁蓋部材２０Ａで覆われている。
【００１５】
表示ユニット１２の筐体２０は、前壁蓋部材２０Ａと、表示画面１８の背面側を覆う背面蓋部材２０Ｂとを含んでいる。表示画面１８と当該表示画面１８用の制御回路等は、前壁蓋部材２０Ａと背面蓋部材２０Ｂに挟まれて筐体２０内に収容される。
【００１６】
本体ユニット１４は、ユーザの操作等に応じて情報処理を実行するためのものである。当該情報処理を実行するため、本体ユニット１４の本体筐体２４内には、後述するように、ＣＰＵ（Ｃｅｎｔｒａｌ  Ｐｒｏｃｅｓｓｉｎｇ  Ｕｎｉｔ）等の各種電子部品が搭載された回路基板１７０や情報を記憶しておくハードディスクドライブユニット（以降「ＨＤＤユニット」と記す）２００などの多数の部品を収容している。
【００１７】
本体筐体２４の上壁２４Ａにおける奥行方向Ｄ１の端部には、電源ボタン２６や各種のファンクションボタン２８が設けられている。また、本体筐体２４の上壁２４Ａの中央には、このノートＰＣ１０に対し各種の情報や指示を入力するため複数のキーが並べられたキーボード３０が配置されている。
【００１８】
キーボード３０の手前側には、トラックパッド３２が設けられている。また、本体筐体２４の右側壁２４Ｂには、ＡＣ電力をＤＣ電力に変換してノートＰＣ１０に供給するＡＣアダプタ（図示せず）のコネクタが差し込まれる電源差込口３４が形成されている。
【００１９】
本体ユニット１４の本体筐体２４には、図２に示すように、本体筐体２４の背面２４Ｃから下壁２４Ｄにかけて、バッテリ３６を収容するバッテリ収容開口３８が形成されている。
【００２０】
図３に示すように、本実施形態のノートＰＣ１０は、本体筐体２４の内部の各種電子部品に対して空気を利用した冷却を行う冷却ユニット（図示略）を使用している。そして、本体筐体２４の背面２４Ｃには、スリット状とされた冷却ユニット用の排気口４０が設けられている。
【００２１】
図３に示すように、本体筐体２４の下壁２４Ｄには、スリット状とされた冷却ユニット用の吸気口４２が設けられている。この吸気口４２から冷却用の空気が本体筐体２４の内部に取り入れられる。そして、各種電子部品で発生した熱が冷却ユニット（図示略）によって冷却用の空気に吸収されることで、各種電子部品等が冷却される。熱を吸収することで暖まった空気は、本体筐体２４の背面２４Ｃにある排気口４０（図２も参照）から本体筐体２４の外部に排気される。
【００２２】
本体筐体２４の下壁（底面）２４Ｄには、バッテリ収容開口３８よりも本体筐体２４の手前側に、内部にメモリ基板が差し込まれるコネクタが配置されたメモリ用開口４８が形成されている。このメモリ用開口４８には、当該メモリ用開口４８を塞ぐ蓋体５０が取り付けられている。さらに、メモリ用開口４８の隣には、後述するＨＤＤユニット２００（図５を参照）が収容される収容部１００の開口部１０２（図６も参照）が形成されている。開口部１０２は、平面視において略矩形状とされている。また、着脱自在の蓋部材９０が開口部１０２に被せられている。
【００２３】
また、本体筐体２４の下壁２４Ｄの４隅には、当該下壁２４Ｄから下方に向かって延出した４つの脚部５８Ａ、５８Ｂ、５８Ｃ，５８Ｄが設けられている。
【００２４】
つぎに、ＨＤＤユニット２００の取付構造について説明する。
本実施形態では、後述するようにＨＤＤユニット２００の収容部１００内での移動方向における一方側（移動方向の一方側）を矢印Ｙ１で示し、他方側（移動方向の他方側）を矢印Ｙ２で示す。なお、ＨＤＤユニット２００単体の場合の一方側及び他方側は、本体筐体２４に取り付けられた状態での方向とする。また、本実施形態においては、図１に示すように、幅方向Ｄ２とＨＤＤユニット２００の移動方向（一方側（矢印Ｙ１）、他方側（矢印Ｙ２））とは一致しているが、必ずしも一致してなくてもよい。例えば、ＨＤＤユニット２００の移動方向が奥行方向Ｄ１と一致してもよいし、他の方向であってもよい。
【００２５】
また、原則として、上下方向を説明する場合は、図１及び図２のように、ノートＰＣ１０の４つの脚部５８Ａ〜５８Ｄが設置面に設置され、ノートＰＣ１０を使用している状態における上下を示す。しかし、後述するＨＤＤユニット２００を収容部１００に取り付ける及び取り外す作業の場合には、ノートＰＣ１０の上下を逆にして作業を行う。つまり本体筐体２４の下壁（底面）２４Ｄを上側にして作業を行う。よって、この場合は、実際の作業にあわせ上下を逆にして説明することがある。また、このため図６〜図１２は、本体筐体２４の下壁（底面）２４Ｄが上側として図示されている。
【００２６】
図５に示すＨＤＤユニット２００は、内部に設けられた磁性体を塗布した円盤を高速回転さて磁気ヘッドを移動することで、情報を記録し読み出す補助記憶装置とされ、図４に示すように本体筐体２４の内部に装着して使用する内蔵体タイプのＨＤＤとされている。また、図５や図７に示すように、ＨＤＤユニット２００の形状は、平面視において略矩形状の箱型とされている。
【００２７】
図５に示すように、ＨＤＤユニット２００の一方側の側面部２０４には、雄型コネクタ２１２が設けられている。このＨＤＤユニット２００の雄型コネクタ２１２は、本体ユニット１４に設けられた雌型コネクタ１１２（図６参照）に接続され、これによりＨＤＤユニット２００と本体ユニット１４とが電気的に接続される。ＨＤＤユニット２００の雄型コネクタ２１２は、ユニット側コネクタの一例である。本体ユニット１４に設けられた雌型コネクタ１１２は、機器側コネクタの一例である。雌型コネクタ１１２は、前述した回路基板１７０に搭載されており、回路基板１７０に搭載されたコントローラと電気的に接続されている。また、そのコントローラは、バスを介して前述のＣＰＵに電気的に接続されている。これによって、回路基板１７０上のＣＰＵは、データ読み書き可能にＨＤＤユニット２００にアクセスできる。
【００２８】
ＨＤＤユニット２００の底面２０２には、固定部材の一例としての板金製のブラケット２５０が固定されている。ブラケット２５０は、中央部に貫通孔２４０が形成されていると共に、略放射状に延出する四つの固定片部２５２，２５４，２５６，２５８が形成されている。また、固定片部２５２と固定片部２５４との間には凹部２４２が形成され、固定片部２５６と固定片部２５８との間には凹部２４４が形成されている。そして、これら四つの固定片部２５２，２５４，２５６，２５８が、ＨＤＤユニット２００の底面２０２にビスで締結されることよって、ＨＤＤユニット２００にブラケット２５０が固定されている。
【００２９】
また、ブラケット２５０には、ＨＤＤユニット２００に固定された状態で、一方の側面部２０４から一方側に張り出す一端側張出片部２６０と、他方の側面部２０６から他方側に張り出す他端側張出片部２７０と、が形成されている。また、ブラケット２５０の一端側張出片部２６０の先端部にはＵ字状の切込部２６２が形成され、他端側張出片部２７０の先端部にはビス孔２７２が形成されている。
【００３０】
図６に示すように、本体ユニット１４の本体筐体２４には、ブラケット２５０が固定された状態のＨＤＤ２００が収容される収容部１００が設けられている。収容部１００には、ＨＤＤユニット２００（図６等を参照）が装着される凹状の装着部１１０が設けられている。また、収容部１００における装着部１１０の一方側の端部と他方側の端部とに、それぞれ階段状の棚部１２０、１３０が設けられている。他方側の棚部１３０には、溝状に凹んだ凹部１３２が形成されている。また、装着部１１０の一方側の端部には、前述したＨＤＤユニット２００の雄型コネクタ２１２が接続する雌型コネクタ１１２が設けられている。
【００３１】
そして、図４、図９、図１２等に示すように、詳細は後述するが、ＨＤＤユニット２００は、ブラケット２５０が固定された状態で、開口部１０２から挿入され、収容部１００の装着部１１０に装着される。また、図１２に示すように、ＨＤＤユニット２００の雄型コネクタ２１２と収容部１００の雌型コネクタ１１２とが接続される。
【００３２】
そして、図９に示すように、ブラケット２５０の一端側張出片部２６０が棚部１２０に支持されると共にビス止めされ固定される。同様にブラケット２５０の他端側張出片部２７０が棚部１３０の凹部１３２に支持されると共にビス止めされ固定される。そして、このようにブラケット２５０が収容部１００の棚部１２０，１３０に固定されることで、ＨＤＤユニット２００が収容部１００に固定される。
【００３３】
また、図１２に示すように、装着部１１０における他方側の側壁１１４と、ＨＤＤユニット２００の他方側の側面部２０６と、の間には、ＨＤＤユニット２００が移動可能な移動スペース１１６が設けられている。なお、移動代の一例としての移動スペース１１６の隙間Ｌ１は、雄型コネクタ２１２と雌型コネクタ１１２との接続代Ｌ２よりも広くなるように設定されている（Ｌ１＞Ｌ２）。
【００３４】
図６及び図１２に示すように、収容部１００の他方側の棚部１３０の凹部１３２の他端部分と開口部１０２との間には、ブラケット２５０の他端側張出片部２７０が挿入可能な大きさのスリット状の挿入孔１０６が形成されている。
【００３５】
また、図７（Ｂ）及び図１２に示すように、本体筐体２４の内部における挿入孔１０６の他方側には、板ばね機能を有する板状の弾性リブ１５０が形成されている。板状の弾性リブ１５０は、本体筐体２４のアッパーカバー１４Ｕに形成され、片持ち構造となっている。なお、本実施形態では、弾性リブ１５０を板厚方向に見た形状は、根元側よりも先端側が幅狭となる台形状を成している。
【００３６】
なお、図１２に示すように、ブラケット２５０の他端側張出片部２７０の先端部２７０Ａと弾性リブ１５０との間隔Ｌ３は、移動スペース１１６の隙間Ｌ１よりも、狭くなるように設定されている（Ｌ３＜Ｌ１）。
【００３７】
つぎに、ＨＤＤユニット２００の収容部１００への取り付け及び取り外し作業について、図７〜図１２を用いて説明する。なお、前述したように、ＨＤＤユニット２００の取り付け及び取り外し作業では、ノートＰＣ１０を上下逆、つまり本体筐体２４の下壁（底面）２４Ｄを上にして作業を行う。よって、下壁（底面）２４Ｄ側を上側方向として、図示して説明する。また、取り付け及び取り外し作業は、ＨＤＤユニット２００にブラケット２５０が固定された状態で行われる。言い換えると、ＨＤＤユニット２００とブラケット２５０とが一体となって、取り付け及び取り外し作業が行われる。また、いずれも開口部１０２に被せられた蓋部材９０（図３参照）は、作業の前に予め取り外され、作業が終了すると取り付けられる。
【００３８】
まず、ＨＤＤユニット２００の収容部１００への取り付け作業について説明する。
【００３９】
図７と図１０とに示すように、ＨＤＤユニット２００を他方側の側面部２０６を斜め下側とし、矢印Ｆ１（図１０参照）に示すように、ＨＤＤユニット２００を側面部２０６側から収容部１００（開口部１０２）に挿入する。そして、ブラケット２５０の他端側張出片部２７０を収容部１００の挿入孔１０６に斜め上方から挿入する。このとき、他端側張出片部２７０の先端部２７０Ａが弾性リブ１５０に当たり、弾性リブ１５０が撓み弾性変形する。
【００４０】
矢印Ｋ１（図１０参照）に示すように、ブラケット２５０の他端側張出片部２７０が収容部１００の挿入孔１０６に挿入された状態のまま、ＨＤＤユニット２００の一方側の側面部２０４を下側に回転させる。そして、図８と図１１とに示すように、ブラケット２５０の一端側張出片部２６０を棚部１２０に載せる。また、これによりブラケット２５０の他端側張出片部２７０は挿入孔１０６に挿入された状態で棚部１３０の凹部１３２の上に置かれた状態となる。
【００４１】
図８及び図９と図１１及び図１２とに示すように、ＨＤＤユニット２００を一方側（矢印Ｙ１）にスライド（移動）させ、図９と図１２と示すように、ＨＤＤユニット２００の雄型コネクタ２１２を収容部１００の雌型コネクタ１１２に接続する。なお、ＨＤＤユニット２００のスライド（移動）に伴い、ブラケット２５０の他端側張出片部２７０が棚部１３０の凹部１３２の上を一方側にスライド（移動）し、挿入孔１０６から抜け出る。
【００４２】
ブラケット２５０の一端側張出片部２６０の切込部２６２にビス９２を通して棚部１２０に固定すると共に、他端側張出片部２７０のビス孔２７２にビス９４を通して棚部１３０に固定する。なお、図１０〜図１２に示すように、ビス９２は、予め仮止めしておいてもよい。
【００４３】
このようにして、ＨＤＤユニット２００が収容部１００に取り付けられると共に、ＨＤＤユニット２００の雄型コネクタ２１２が収容部１００の雌型コネクタ１１２に接続され、ＨＤＤユニット２００と本体ユニット１４とが電気的に接続される。
【００４４】
つぎに、ＨＤＤユニット２００の収容部１００からの取り外し作業について説明する。なお、取り付け作業と逆の手順であるので、適宜説明を省略する。
【００４５】
図９及び図１２に示すように、ビス９２，９４を緩めて取り外し、ブラケット２５０の収容部１００への固定を解除し、ＨＤＤユニット２００を他方側（矢印Ｙ２）にスライド（移動）させる。なお、ビス９２は緩めるだけで取り外さなくてもよい。
【００４６】
図８及び図１１に示すように、収容部１００の雌型コネクタ１１２からＨＤＤユニット２００の雄型コネクタ２１２が引き抜かれて接続が解除される。ＨＤＤユニット２００のスライド（移動）に伴い、ブラケット２５０の一端側張出片部２６０は、棚部１２０の上を他方側にスライドする。また、ブラケット２５０の他端側張出片部２７０が棚部１３０の凹部１３２の上を他方側にスライド（移動）し、挿入孔１０６に挿入される。このとき、他端側張出片部２７０の先端部２７０Ａが弾性リブ１５０に当たり、弾性リブ１５０が撓み弾性変形する。
【００４７】
図７及び図１０に示すように、矢印Ｋ２（図１０参照）に示すように、ＨＤＤユニット２００の一方側の側面部２０４を上側に回転させる。そして、矢印Ｆ２（図１０参照）に示すように、ＨＤＤユニット２００を引き抜き、ＨＤＤユニット２００を取り外す。
【００４８】
つぎに、本実施形態の作用及び効果について説明する。
【００４９】
ＨＤＤユニット２００の収容部１００への取り付け及び取り外し作業において、ブラケット２５０の他端側張出片部２７０が挿入孔１０６に挿入される（図６、図１０、図１１等を参照）。これにより、ブラケット２５０の他端側張出片部１０６が収容部１００の他方側（外側）まで移動可能となる。よって、ブラケット２５０の他端側張出片部２７０が挿入孔１０６に挿入される挿入分、開口部１０２の他端部１０２Ａを一方側に移動できる。つまり、収容部１００の他側の端部に挿入孔１０６が設けられていない構成と比較し、収納部１００の開口部１０２の開口面積を小さくすることができ、その結果、開口部１０２に被せる蓋部材９０を小型化することができる。
【００５０】
また、蓋部材９０を小型化することで、本体筐体２４の下壁（底面）２４Ｄにおける部品の配置スペースが増加し、この結果、下壁（底面）２４Ｄにおける部品のレイアウトの設計自由度が向上する。なお、本実施形態では、蓋部材９０を小型化することで確保された配置スペースに、脚部５８Ｄが設けられている（図８を参照）。
【００５１】
また、ＨＤＤユニット２００の取り付け及び取り外し作業の際に、ブラケット２５０の他端側張出片部２７０の先端部２７０Ａが弾性リブ１５０に当たり、弾性リブ１５０が撓み弾性変形する。これにより、ブラケット２５０を介してのＨＤＤユニット２００への衝撃が緩衝される。
【００５２】
特にＨＤＤユニット２００を取り外す際において、ＨＤＤユニット２００の雄型コネクタ２１２が収容部１００の雌型コネクタ１１２から引き抜かれた瞬間に、ＨＤＤユニット２００が急に他方側に勢いを増してスライドする。そして、勢いを増した状態で他端側張出片部２７０が弾性リブ１５０に突き当たることがある。しかし、前述したように、弾性リブ１５０は弾性変形するので、勢いを増した状態で他端側張出片部２７０が弾性リブ１５０に突き当たったとしても、ＨＤＤユニット２００への衝撃が緩衝される。
【００５３】
また、本実施形態では、ブラケット２５０は、中央部に貫通孔２４０が形成されると共に、凹部２４２、２４４が形成されている。よって、例えば、貫通孔２４０及び凹部２４２、２４４が無く、この部分が板金である場合と比較し、ブラケット２５０自体の衝撃緩衝性能が向上する。
【００５４】
また、本実施形態では、弾性リブ１５０を板厚方向に見た形状は、根元側よりも先端側が幅狭となる台形状を成している。よって、例えば矩形状の弾性リブよりも弾性変形しやすいので、弾性リブ１５０の衝撃緩衝性能が向上する。
【００５５】
このように、本実施形態では、ブラケット２５０の衝撃緩衝性能及び弾性リブ１５０の衝撃緩衝性能が向上しているので、ＨＤＤユニット２００への衝撃がさらに緩衝される。
【００５６】
なお、ブラケット２５０の他端側片部２７０の先端部２７０Ａと弾性リブ１５０との間隔Ｌ３は、移動スペース１１６の隙間Ｌ１よりも、狭くなるように設定されている（Ｌ３＜Ｌ１）。よって、ブラケット２５０の他端側片部２７０の先端部２７０Ａが弾性リブ１５０に当たるよりも先に、ＨＤＤユニット２００の他方側の側面部２０６が装着部１１０の他方側の側壁１１４に当たることが回避される。
【００５７】
また、本実施形態では、ブラケット２５０の一端側張出片部２６０及び他端側張出片部２７０を棚部１２０、１３０に載せた状態でスライドさせて、ＨＤＤユニット２００の雄型コネクタ２１２を収容部１００の雌型コネクタ１１２に接続させる。よって、例えば、ＨＤＤユニット２００を手で持って高さを調整しながらコネクタを接続させる場合よりも、接続作業が容易である。
【００５８】
ここで、図１３に示す比較例について説明する。
【００５９】
図１３に示す比較例では、ＨＤＤユニット２００の底面２０２には、一端側張出片部９６０と他端側張出片部９７０とが形成されている板金製のブラケット９５０が固定されている。そして、ブラケット９５０の一端側張出片部９６０が棚部９２０にビス止めされると共に他端側張出片部９７０が棚部９３０ビス止めされる。
【００６０】
比較例では、収容部９００の他方側の端部の棚部９３０には、本実施形態の装着部１１０（図１２等を参照）と同じように、一端側張出片部９６０が移動する移動代Ｌ４が設けられている。よって、比較例の収容部９００の開口部９０２の他端部９０２Ａは、本実施系形態の収容部１００の開口部１０２の他端部１０２Ａ（図８参照）よりも、他方側に位置することになる。したがって、その分開口部９０２の開口面積が大きくなり、その結果、蓋部材（図示略）が大型化する。
【００６１】
よって、図８と図１３とを比較すると判るように、本実施形態では蓋部材９０を小型化することで確保された配置スペースに設けた脚部５８Ｄを、比較例では設けることができなくなっている。このため、例えば、本体筐体２４の下壁（底面）９２４Ｄの端部に、脚部の代わりとなる凸部９２８を形成する等の必要が生じる。よって、例えば、他の脚部５８Ａ、５８Ｂ，５８Ｃとのバランスが崩れる。
【００６２】
これに対して、本実施形態では、前述したように、蓋部材９０を小型化することで確保された配置スペースに、他の脚部５８Ａ、５８Ｂ，５８Ｃと同様の脚部５８Ｄを、所望する位置にバランスがよく設けることができる。
【００６３】
また、比較例では、ＨＤＤユニット２００の取り付け及び取り外しの際に、ブラケット９５０の他端側張出片部９７０の先端部９７０Ａが、収容部９００における棚部９３０の奥の縦壁９１２に当たる。よって、ブラケット９５０を介してＨＤＤユニット２００に衝撃が加わる。
【００６４】
これに対して、本実施形態では、前述したように、他端側張出片部２７０の先端部２７０Ａが、弾性リブ１５０に当たっても、弾性リブ１５０が撓み弾性変形する。よって、ブラケット２５０を介してのＨＤＤユニット２００への衝撃が緩衝される。
【００６５】
また、変形例のブラケット９５０は、本実施形態のように貫通孔２４０と凹部２４２、２４４とが形成されていない（図８と図１３とを比較参照）。よって、本実施形態のブラケット２５０よりも変形例のブラケット９５０の方が、衝撃緩衝性能が低いので、この観点からも本実施形態の方がＨＤＤユニット２００への衝撃がより緩衝される。
【００６６】
以上、本願の開示する技術の一実施形態について説明したが、本願の開示する技術は、上記実施形態に限定されるものでない。
【００６７】
例えば、上記実施形態では、ＨＤＤユニット２００が装着部１１０に装着され雌型コネクタ１１２と雄型コネクタ２１２とが接続されている状態では、ブラケット２５０の他端側張出片部２７０は挿入孔１０６から完全に抜け出ていた（図９、図１２参照）。しかし、これに限定されない。ＨＤＤユニット２００が装着部１１０に装着され雌型コネクタ１１２と雄型コネクタ２１２とが接続された状態であっても、ブラケット２５０の他端側張出片部２７０の先端部分が挿入孔１０６に挿入されていてもよい。
【００６８】
また、例えば、上記実施形態では、他端側張出片部２７０と挿入孔１０６とは、それぞれ一ずつ設けられていたが、これに限定されない。他端側張出片部と対応する挿入孔とが、それぞれ複数設けられていてもよい。
【００６９】
また、例えば、収容部１００の一方側の端部にも、ブラケット２５０の一端側張出片部２６０が挿入可能な挿入孔（挿入口）を設け、さらに収容部の開口部の開口面積を小さくして、蓋部材をさらに小型化してもよい。
【００７０】
上記実施形態では、緩衝部材は片持ち構造の弾性リブ１５０であったが、これに限定されない。緩衝部材は、例えば、ゴム等の弾性部材を材料とする壁であってもよい。さらに、緩衝部材がない構造であってもよい。
【００７１】
また、上記実施形態では、電子ユニットは、ＨＤＤユニット２００であったがこれに限定されない。電子ユニットは、例えば、ＳＳＤ（Solid state drive）等の他の補助記憶媒体であってもよい。或いは、バッテリー（二次電源）や電池パック等であってもよい。
【００７２】
また、上記実施形態では、電子機器は、所謂ノートＰＣ１０であったが、これに限定されない。例えば、ディスプレイまたはキーボードが一体になった所謂一体型パソコンや所謂タブレット型パソコンであってもよい。さらに、パソコン以外の電子機器に適用されていてもよい。
【００７３】
また、本実施形態では開口部１０２は本体筐体２４の下壁（底面）２４Ｄに設けられていたが、これに限定されない。例えば、一体型パソコンやタブレット型パソコンの場合は、画面の背面に開口部が設けられていてもよい。また、ＰＣ以外の電子機器の場合は、適宜、開口部が設けられていればよい。
【００７４】
さらに、本願の開示する技術は、その主旨を逸脱しない範囲内において種々変形して実施可能であることは勿論である。
【符号の説明】
【００７５】
１０      ノートＰＣ（電子機器）
１４      本体ユニット（機器本体）
９０      蓋部材
１００      収容部
１０２      開口部
１０６      挿入孔（挿入口）
１１２      雌型コネクタ（機器側コネクタ）
１１６      移動スペース（移動代）
１３０      棚部（固定部）
１５０      弾性リブ（緩衝部材）
１７０      回路基板
２００      ＨＤＤユニット（電子ユニット）
２１２      雄型コネクタ（ユニット側コネクタ）
２５０      ブラケット（固定部材）
２７０      他端側張出片部（他端側張出部）
【図１】
2013077363.tif 000003
【図２】
2013077363.tif 000004
【図３】
2013077363.tif 000005
【図４】
2013077363.tif 000006
【図５】
2013077363.tif 000007
【図６】
2013077363.tif 000008
【図７】
2013077363.tif 000009
【図８】
2013077363.tif 000010
【図９】
2013077363.tif 000011
【図１０】
2013077363.tif 000012
【図１１】
2013077363.tif 000013
【図１２】
2013077363.tif 000014
【図１３】
2013077363.tif 000015